(57)【要約】【課題】  使用時に両面発光面状光源の各導光板への導入光量が調整できない。【解決手段】  少なくとも、光反射板を挟んで積層された２枚の導光板と前記導光板端部付近に配置した光源からなる両面発光面状光源において、前記光源は前記２枚の導光板への導入光量を調整できる両面発光面状光源とする。【選択図】  図１
2005050630.tif 000002
【特許請求の範囲】
【請求項１】
少なくとも、光反射板を挟んで積層された２枚の導光板と前記導光板端部付近に配置した光源からなる両面発光面状光源において、前記光源は前記２枚の導光板への導入光量を調整できることを特徴とする両面発光面状光源。
【請求項２】
少なくとも、光反射板を挟んで積層された２枚の導光板と前記導光板端部付近に配置した光源からなる両面発光面状光源において、前記光源はリフレクター効果を有し、前記光源の前記２枚の導光板に対する照射角を傾けて配置したことを特徴とする両面発光面状光源。
【請求項３】
少なくとも、光反射板を挟んで積層された２枚の導光板と前記導光板端部付近に配置した光源からなる両面発光面状光源において、前記２枚の導光板において入光端面の面積を変えたことを特徴とする両面発光面状光源。
【請求項４】
前記２枚の導光板各々の発光面積を変えたことを特徴とする請求項１、２又は３記載の両面発光面状光源。
【請求項５】
前記光源として間接照射を用いることを特徴とする請求項１〜４いずれか記載の両面発光面状光源。
【請求項６】
前記２枚の導光板を一体で製作し,２枚の導光板間に反射板を挿入したことを特徴とする請求項１〜５いずれか記載の両面発光面状光源。
【発明の詳細な説明】
【技術分野】
【０００１】
本発明は両面発光面状光源に関するものである。
【背景技術】
【０００２】
従来の両面発光面状光源には、導光板の両端部に陰極管の光源を設け、導光板の上下面に均一化層と拡散板を設け、導光板内にその水平方向の中心位置からずらした位置に反射層を形成したものがある。（例えば特許文献１参照）
【０００３】
また、ランプ体の光源である発光ダイオード（ＬＥＤ）からの光を２個の導光板レンズの各一面に形成した各反射面に導く手段と、この各反射面によって反射された光を、２個の導光板レンズを互いに接触状態に保持する保持装置の各側面に設けた開口部からほぼ均等に外部へ放出する手段とから構成した面発光体も開示されている。（例えば特許文献２参照）
【０００４】
さらに、２枚の導光板の間に表裏両面が反射面となった反射シートを配し、２枚の導光板の側方に光源を配して平面型発光部を形成し、平面型発光部の表面側と裏面側に表示セルを配した平面表示装置であって、表面側に配された表示セルと裏面側に配された表示セルとが異なる大きさである平面表示装置が開示されている。（例えば特許文献３参照）
【０００５】
図７、図８、図９により従来の両面発光面状光源及び平面表示装置について説明する。
図７は特許文献１で開示された両面発光面状光源の断面図である。光を透過させて伝達する導光板１４と、導光板１４の両端に設けられた光源１１と、光源１１からの光を導光板１４の中央に集光するために光源１１の外側部分を覆うように形成された反射部材１２と、光源１１からの光を仕切る反射層１３と、導光板１４の上面と底面において光の明るさを均一にする均一化層１６と、その外側に光を拡散させる拡散板１５とから構成されている。従って、反射層１３は、導光板１４を区切るように設けられている。反射層１３は両面共にミラー等により構成され、光源１１からの光を上方向と下方向に区切って反射させるものであり、反射層１３の位置により上方向と下方向に反射される光量が決定される。
【０００６】
図８は特許文献２で開示された面発光体の一部断面図である。２１はＬＥＤ２２を光源とするランプ体である。２３は光を導く透明又は半透明の導光材料からなる導光板レンズであり、その一面には反射面２４が形成されている。導光板レンズ２３の反射面２４側の下方端部には、ランプ体２１の全周面のうちで１／２周面を覆うような形状の切欠面２５が形成されている。よって、２個の導光板レンズ２３の各反射面２４を互いに接触させた場合に、ランプ体２１は各切欠面２５で挟持された状態となる。２６は保持装置であり、２個の導光板レンズ２３の各反射面２４を互いに接触させ、各切欠面２５でランプ体２１を挟持した状態で、２個の導光板レンズ２３をしっかり保持する役目をする。保持装置２６には、２個の導光板レンズ２３の各反射面２４に対応する各側面に光を外部へ放出する開口部２７が設けられており、開口部２７からほぼ均等に光が外部へ放出される。
【０００７】
図９は特許文献３で開示された情報携帯端末の斜視図であり、（ａ）は蓋を開いた状態、（ｂ）は蓋を閉じた状態である。情報携帯端末３０の蓋３１には両面発光面状光源（不図示）が配され、その一方面には液晶セル３２、他方面には液晶セル３３が配されている。液晶セル３２と液晶セル３３の大きさは異なり、液晶セル３２の大きさが液晶セル３３より小さくなっている。
【０００８】
【特許文献１】特開平６−２４３８２６号公報
【特許文献２】特開平９−８３０２９号公報
【特許文献３】特開２００１−２９０４４５号公報
【発明の開示】
【発明が解決しようとする課題】
【０００９】
導光板内にその水平方向の中心位置からずらした位置に反射層を形成したものでは、反射層位置により反射層の上下での光量を組立時に調整できるが、使用時に上下での光量を調整することができない。この課題は他の２つの従来例でも同様である。
【００１０】
平面型発光部の表面側と裏面側に表示セルを配した平面表示装置であって、表面側に配された表示セルと裏面側に配された表示セルとが異なる大きさである平面表示装置では、表示セルの大きさは異なるが、導光板の大きさが同じであるため、光量が有効に使用されていない。
【課題を解決するための手段】
【００１１】
少なくとも、光反射板を挟んで積層された２枚の導光板と前記導光板端部付近に配置した光源からなる両面発光面状光源において、前記光源は前記２枚の導光板への導入光量を調整できる両面発光面状光源とする。
【００１２】
少なくとも、光反射板を挟んで積層された２枚の導光板と前記導光板端部付近に配置した光源からなる両面発光面状光源において、前記光源はリフレクター効果を有し、前記光源の前記２枚の導光板に対する照射角を傾けて配置した両面発光面状光源とする。
【００１３】
少なくとも、光反射板を挟んで積層された２枚の導光板と前記導光板端部付近に配置した光源からなる両面発光面状光源において、前記２枚の導光板において入光端面の面積を変えた両面発光面状光源とする。
【００１４】
２枚の導光板各々の発光面積を表示セルに合わせて変えた両面発光面状光源とする。
【００１５】
光源として間接照射を用い、間接照明により２枚の導光板への光量を調整する両面発光面状光源とする。
【００１６】
２枚の導光板を一体で製作し,２枚の導光板間に反射板を挿入した両面発光面状光源とする。
【発明の効果】
【００１７】
２枚の導光板への導入光量を調整できるので、使用者の好みで使用状態を調整できる。
【００１８】
使用する表示セルに合わせた導光板を使用し、それぞれの表示セルへの配光を調整できるので光源を有効に使用することができる。
【００１９】
２枚の導光板間に反射板を挿脱可能とすることで、反射板の交換が容易にできる。
【発明を実施するための最良の形態】
【００２０】
少なくとも、光反射板を挟んで積層された２枚の導光板と前記導光板端部付近に配置した光源からなる両面発光面状光源において、前記光源は前記２枚の導光板への導入光量を調整できる両面発光面状光源とする。
【実施例１】
【００２１】
図１は本発明による両面発光面状光源の第一実施例の断面図である。第１導光板１と第２導光板２が両面に反射層を形成した光反射板３を挟んで積層されている。本実施例では積層板の一端部に光源であるＬＥＤ４を配置してある。回路基板に搭載されたＬＥＤ４は前記積層板との位置決めをする筐体５に収納されるが、弾性体６とＬＥＤ移動部材７により挟持されており、ＬＥＤ移動部材（例えばネジ機構を有している）７で図中の矢印方向に移動することができる。
【００２２】
図１においてはＬＥＤ４から照射された光は第１導光板１と第２導光板２に均等に導入されるようにＬＥＤ４が位置決めされているが、ＬＥＤ４を右に移動すると第１導光板１への導入光量が増加し、第２導光板２への導入光量が減少する。ＬＥＤ４を左に移動すると第１導光板１への導入光量が減少し、第２導光板２への導入光量が増加する。よって、両面発光面状光源の使用者は使用目的に応じて第１導光板１と第２導光板２への配光量を調整できる。
【実施例２】
【００２３】
図２は本発明による両面発光面状光源の第二実施例の断面図である。本実施例でも積層板の一端部に光源であるＬＥＤ４ａを配置してある。回路基板に搭載されたＬＥＤ４ａは前記積層板との位置決めをする筐体５ａに収納されるが、回転軸８を回転中心として図中の矢印方向に回転可能に保持されている。ＬＥＤ４ａを回転することにより第１導光板１と第２導光板２への導入光量を調整できることは第一実施例と同じである。ＬＥＤ移動機構は移動と固定ができればどのような構造でもとり得るが、その構造自体は本発明の主旨ではない。以下の実施例ではＬＥＤの移動機構については説明を省略する
【実施例３】
【００２４】
図３は本発明による両面発光面状光源の第三実施例の断面図である。積層された導光板が光源より薄い例である。第１導光板１ａは全体が同じ厚さであり、第２導光板２ａは光を導入する端部が厚くなっている。導光板が薄くなると導入光が有効に使用できにくくなるので、必要に応じて導入光量を調整できる本発明は特に有効な構造である。両面発光面状光源の使用条件により第１導光板１ａと第２導光板２ａの導入光端部の厚さを決めておくことで、使用時の各導光板への導入光量調整が容易にできる。
【実施例４】
【００２５】
図４は本発明による両面発光面状光源の第四実施例の断面図である。第１導光板１ｂと第２導光板２ｂの大きさが異なる例である。図９に示した従来技術のように両面発光面状光源の表面と裏面で表示セルの大きさが異なる場合に有効な実施例である。両面使用の場合でも片面使用の場合でも使用状態によりそれぞれの導光板への導入光量を調整できるので光源からの光量を有効に使用できる。
【実施例５】
【００２６】
図５は本発明による両面発光面状光源の第五実施例の上面図である。光源がＬＥＤ４からの直接照射でなく、導光体９を使用した間接照射の例である。光源がＬＥＤ４のような点状光源の場合導光板からの出射光が均一にしにくいため、ＬＥＤ４からの光を１度導光体９で線状光源にしてから導光板に導入する構造は従来から採用されている。本構造においても、間接照射部である導光体９を移動調整することで第１導光板と第２導光板への導入光量を調整できる。
【実施例６】
【００２７】
図６は本発明による両面発光面状光源の第六実施例の断面図である。２枚の導光板を一体で製作し,２枚の導光板間に反射板（不図示）を挿入する両面発光面状光源である。反射板の交換が容易であり、反射板の色調や模様を変えることで表示を変えることができ特に表示セルが白黒表示の時に有効である。反射板の色調や模様に合わせて入射光量を調整することで表示の多様化が可能となる。
【図面の簡単な説明】
【００２８】
【図１】本発明による両面発光面状光源の第一実施例の断面図
【図２】本発明による両面発光面状光源の第二実施例の断面図
【図３】本発明による両面発光面状光源の第三実施例の断面図
【図４】本発明による両面発光面状光源の第四実施例の断面図
【図５】本発明による両面発光面状光源の第五実施例の上面図
【図６】本発明による両面発光面状光源の第六実施例の断面図
【図７】特許文献１で開示された両面発光面状光源の断面図
【図８】特許文献２で開示された面発光体の一部断面図
【図９】特許文献３で開示された情報携帯端末の斜視図であり、（ａ）は蓋を開いた状態、（ｂ）は蓋を閉じた状態
【符号の説明】
【００２９】
１、１ａ、１ｂ    第１導光板
２，２ａ、２ｂ    第２導光板
３    反射板
４、４ａ    ＬＥＤ
５、５ａ    筐体
６    弾性体
７    ＬＥＤ移動部材
８    回転軸
【図１】
2005050630.tif 000003
【図２】
2005050630.tif 000004
【図３】
2005050630.tif 000005
【図４】
2005050630.tif 000006
【図５】
2005050630.tif 000007
【図６】
2005050630.tif 000008
【図７】
2005050630.tif 000009
【図８】
2005050630.tif 000010
【図９】
2005050630.tif 000011